(57)【要約】      （修正有）【課題】ステッキ用吊り下げ展示具にステッキを取り付けて店頭でパイプハンガー等に吊り下げて展示した場合であっても、ステッキをステッキ用吊り下げ展示具に取り付けたままの状態で、消費者が好適に試用することが可能なステッキ用吊り下げ展示具を提供する。【解決手段】短冊形状に形成されたステッキ用吊り下げ展示具の吊り下げ部１とステッキ取付部２との間に、短冊形状の短辺方向と平行に折曲部４を設ける。ステッキのシャフト部Ｓをステッキ取付部２に取り付け、店頭でパイプハンガーに吊り下げて展示している状態で、ステッキ用吊り下げ展示具をパイプハンガーから取り外して折曲部４を折り曲げることで、ステッキのシャフト部Ｓをステッキ取付部２に取り付けたままステッキのグリップ部Ｇを握って試用することが可能になる。【選択図】図４
0003190669.tif 000002
【実用新案登録請求の範囲】
【請求項１】
短冊形状に形成されていて、フックと通し孔の少なくとも一方が設けられている吊り下げ部と、ステッキのシャフト部を取り付けるためのステッキ取付部と、を備えていて、前記吊り下げ部と前記ステッキ取付部との間には、前記ステッキ取付部にステッキを取り付けたまま折り曲げることの可能なように前記短冊形状の短辺方向に平行な方向に折曲部が形成されていることを特徴とするステッキ用吊り下げ展示具。
【請求項２】
前記吊り下げ部と前記折曲部との間には、前記折曲部を折り曲げていない状態で、前記ステッキ取付部にステッキのシャフト部を取り付けた際に、該ステッキのグリップ部の一部が挿入されるように開口部が形成されていることを特徴とする請求項１に記載のステッキ用吊り下げ展示具。
【請求項３】
前記開口部は、前記折曲部とは垂直な方向に長軸を有する楕円形に形成されていることを特徴とする請求項２に記載のステッキ用吊り下げ展示具。
【考案の詳細な説明】
【技術分野】
【０００１】
本考案は、棒状の商品、特に、ステッキを店頭等で吊り下げて展示するための展示具に関する。
【背景技術】
【０００２】
従来、店頭等で商品を吊り下げて展示するための展示具として、種々のものが用いられてきた。その一例として、特許文献１の図２に記載されているようなものが知られている。この特許文献１に記載の商品説明用ディスプレーＤは、吊り下げ展示用基材１１と展示販売する商品の商品見本２１とを有しており、商品の見本を直接手にとって見られるようになっている。
【先行技術文献】
【特許文献】
【０００３】
【特許文献１】特開２０００−１７５７９０号公報
【考案の概要】
【考案が解決しようとする課題】
【０００４】
図６は、特許文献１に記載の商品説明用ディスプレーＤのような従来の吊り下げ展示具を、ステッキに対して用いた様子を示した図である。吊り下げ展示具Ｄの下部の商品を取り付ける部分に対して、結束バンド等の周知の取付手段によってステッキのシャフト部Ｓを取り付け、該吊り下げ展示具Ｄを店頭でパイプハンガー等に吊り下げて展示する。そして、消費者が、展示してあるステッキを試用する際は、パイプハンガー等から吊り下げ展示具Ｄを取り外して、ステッキのグリップ部Ｇを握って試用する。しかし、上記のようにして従来の吊り下げ展示具Ｄにステッキを取り付けている状態では、ステッキのグリップ部Ｇが吊り下げ展示具Ｄに近接しているため、消費者が店頭でステッキを試用するためにグリップ部Ｇを握ろうとしたときに、吊り下げ展示具Ｄが邪魔になり、グリップ部Ｇをうまく握ることができないという問題があった。
【０００５】
本考案は、このような問題点を解決するためになされたものであり、その目的とするところは、店頭でステッキを吊り下げて展示した場合であっても、ステッキを吊り下げ展示具に取り付けたままの状態で、消費者が好適に試用することが可能なステッキ用吊り下げ展示具を提供することである。
【課題を解決するための手段】
【０００６】
上記の目的を達成するために、本考案のステッキ用吊り下げ展示具は、短冊形状に形成されていて、フックと通し孔の少なくとも一方が設けられている吊り下げ部と、ステッキのシャフト部を取り付けるためのステッキ取付部と、を備えていて、前記吊り下げ部と前記ステッキ取付部との間には、前記ステッキ取付部にステッキを取り付けたまま折り曲げることの可能なように前記短冊形状の短辺方向に平行な方向に折曲部が形成されている。
【考案の効果】
【０００７】
本考案によれば、店頭でステッキを吊り下げて展示する際に、ステッキを吊り下げ展示具に取り付けたままの状態で、消費者が試用するためにステッキのグリップ部を好適に握ることが可能になる。
【図面の簡単な説明】
【０００８】
【図１】本考案の実施形態に係るステッキ用吊り下げ展示具Ｔを示した正面図である。
【図２】本考案の実施形態に係るステッキ用吊り下げ展示具Ｔにステッキを取り付けた状態を示した正面図及び側面図である。
【図３】本考案の実施形態に係るステッキ用吊り下げ展示具Ｔにステッキを取り付けた状態で折曲部を折り曲げる様子を示した図である。
【図４】本考案の実施形態に係るステッキ用吊り下げ展示具Ｔの開口部の形状と、折曲部を折り曲げる際のステッキのグリップ部Ｇとの関係を示した図である。
【図５】本考案の実施形態に係るステッキ用吊り下げ展示具Ｔの変形例を示した正面図である。
【図６】従来技術の吊り下げ展示具Ｄにステッキを取り付けた状態を示した図である。
【考案を実施するための形態】
【０００９】
本考案を実施するための形態を、図１〜図５を用いて詳細に説明する。
【００１０】
図１は、本実施形態に係るステッキ用吊り下げ展示具Ｔを示した正面図である。このステッキ用吊り下げ展示具Ｔは、短冊形状となるように厚紙を加工して製造されており、パイプハンガー等に吊り下げるためのフック１ａと通し孔１ｂとを有する吊り下げ部１と、ステッキのシャフト部Ｓを取り付けて固定するためのステッキ取付部２と、ステッキのシャフト部Ｓを取り付けた後に折り返して背面を保護する背面保護部３と、からなっている。そして、吊り下げ部１とステッキ取付部２との間には、短冊形状の短辺方向に平行な方向に折曲部４が形成されていて、ステッキ取付部２と背面保護部３との間には、短冊形状の短辺方向に平行な方向に折返し部５が形成されている。更に、吊り下げ部１と折曲部４との間には、ステッキのグリップ部Ｇを挿入するための開口部６が設けられている。
【００１１】
ステッキ取付部２には、二つの孔２ａと、二つの孔２ｂと、一つのスリット２ｃが形成されている。二つの孔２ａは、短冊形状の短辺方向に平行な方向で対になるようにして設けられている。同様にして、二つの孔２ｂも、短冊形状の短辺方向に平行な方向で対になるようにして設けられている。また、背面保護部３には、凸部３ａが形成されている。本実施形態に係るステッキ用吊り下げ展示具Ｔにステッキを取り付ける際には、二つの孔２ａに対して結束バンドを短冊形状の短辺方向に平行な方向に通すとともに、二つの孔２ｂに対して結束バンドを短冊形状の短辺方向に平行な方向に通すことにより、ステッキのシャフト部Ｓをステッキ取付部２に取り付けて固定する。その後に、折返し部５に沿って背面保護部３を折り返し、背面保護部３の凸部３ａをステッキ取付部２のスリット２ｃに挿入する。また、ステッキを取り付ける際には、ステッキのグリップ部Ｇの一部が開口部６の中に挿入されているようにする。
【００１２】
次に、図２を用いて、本実施形態に係るステッキ用吊り下げ展示具Ｔにステッキを取り付けた状態を説明する。図２（ａ）は正面図であり、図２（ｂ）は側面図である。このとき、背面保護部３が背面側に折り返されていて、背面側を保護している。
【００１３】
次に、本実施形態に係るステッキ用吊り下げ展示具Ｔにステッキを取り付けた状態での使用方法を、図３を用いて説明する。図３（ａ）は、ステッキ用吊り下げ展示具Ｔにステッキが取り付けられていて、折曲部４が折り曲げられていない状態を示す図である。この図３（ａ）の状態では、本実施形態に係るステッキ用吊り下げ展示具Ｔの折曲部４よりも上部がステッキのグリップ部Ｇと近接している。店頭でパイプハンガー等に吊り下げられて展示されている状態では、この図３（ａ）の状態になっている。消費者がステッキを試用するために手にとってグリップ部Ｇを握るときは、ステッキが取り付けられているステッキ用吊り下げ展示具Ｔをパイプハンガーから取り外し、ステッキ用吊り下げ展示具Ｔの折曲部４を折り曲げる。図３（ｂ）に折曲部４を折り曲げた状態を示す。この図３（ｂ）の状態にすると、本実施形態に係るステッキ用吊り下げ展示具Ｔの折曲部４よりも上部がステッキのグリップ部Ｇから離れる。そのため、従来のように吊り下げ展示具が邪魔になることなく、グリップ部Ｇを握って試用することが可能になる。なお、上記の説明では、パイプハンガーからステッキ用吊り下げ展示具Ｔを取り外して試用する場合で説明したが、パイプハンガーから取り外さないまま折曲部４を折り曲げてグリップ部Ｇを握っても構わない。
【００１４】
ところで、本実施形態に係るステッキ用吊り下げ展示具Ｔは、上記のように、吊り下げ部１と折曲部４との間に、開口部６を設けている。そして、本実施形態に係るステッキ用吊り下げ展示具Ｔに対してステッキを取り付けて折曲部４を折り曲げていない状態で、ステッキのグリップＧの一部を該開口部６に挿入している。このようにすることで、開口部６の上下の縁とステッキのグリップ部Ｇとが当接することにより、本実施形態に係るステッキ用吊り下げ展示具Ｔに対してステッキを取り付けた際に、垂直方向への位置ずれを規制することができ、本実施形態に係るステッキ用吊り下げ展示具Ｔからステッキが抜けてしまうことを防止することができる。しかし、本考案においては、開口部６を設けることは必須ではなく、開口部６を設けずに、ステッキを結束バンドで取り付けるようにしてもよい。その場合には、折曲部４を折り曲げていない状態において、ステッキのグリップ部Ｇが吊り下げ展示具Ｔの邪魔にならない向きにして取り付けることになる。例えば、上記の実施例の説明で用いたようなグリップ部Ｇが略Ｔ字型の形状をしているようなステッキの場合には、ステッキ用吊り下げ展示具Ｔの面に対してグリップ部Ｇの略Ｔ字型の両側に張り出した部分が平行になる向きに取り付ければよい。
【００１５】
また、本実施形態に係るステッキ用吊り下げ展示具Ｔの開口部６は、折曲部４とは垂直な方向に長軸を有する楕円状に形成されている。このように形成すると、図４に示すように、折曲部４を折り曲げる際に、取り付けられているステッキのグリップ部Ｇと開口部４の上端付近の縁とがぶつかることなく、スムーズに折り曲げることが可能になるとともに、短冊形状の短辺方向の省スペース化を図ることができる。しかし、本考案に係るステッキ用吊り下げ展示具Ｔの開口部６は、楕円状に限定されず、例えば円形状であってもよいし、方形状であってもよい。
【００１６】
本実施形態では、ステッキの取付方法として、ステッキ取付部２に設けられた二つの孔２ａ及び二つの孔２ｂにそれぞれ結束バンドを通してステッキを取り付けているが、本考案に係るステッキ用吊り下げ展示具Ｔにステッキを取り付ける方法はこれだけに限定されない。例えば、図５に記載のように、ステッキ取付部２に二つの切り込み７を設けて、そこにステッキのシャフト部Ｓを挿通させるようにしてもよい。その他、種々の取付方法を用いることができる。
【００１７】
また、本実施形態では、ステッキを取り付けた後に、折返し部５に沿って背面保護部３を折り返すことで背面を保護している。しかし、本考案に係るステッキ用吊り下げ展示具Ｔにおいては、背面保護部３を設けなくても構わない。その場合には、背面保護部３及び折返し部５を省略できるため、製造コストを下げることが可能になる。
【００１８】
また、本実施形態では、パイプハンガー等に吊り下げるために、吊り下げ部１にフック１ａと通し孔１ｂとを設けている。しかし、本考案に係るステッキ用吊り下げ展示具Ｔにおいては、フック１ａと通し孔１ｂの両方を設ける必要はなく、いずれか一方が設けられていればよい。
【符号の説明】
【００１９】
Ｔ    ステッキ用吊り下げ展示具
Ｇ    グリップ部
Ｓ    シャフト部
Ｄ    従来技術の吊り下げ展示具
１    吊り下げ部
１ａ  フック
１ｂ  通し孔
２    ステッキ取付部
３    背面保護部
４    折曲部
５    折返し部
６    開口部
７    切り込み
【図１】
0003190669.tif 000003
【図２】
0003190669.tif 000004
【図３】
0003190669.tif 000005
【図４】
0003190669.tif 000006
【図５】
0003190669.tif 000007
【図６】
0003190669.tif 000008